(57)【要約】【課題】所望の官能等を備える洗浄剤組成物を提供すること。【解決手段】下記成分（Ａ）、（Ｂ）及び（Ｃ）を含む、洗浄剤組成物：（Ａ）セルロース誘導体またはその塩を含むポリマー粒子；（Ｂ）起泡性界面活性剤；および（Ｃ）水溶液。【選択図】なし【特許請求の範囲】
【請求項１】
下記成分（Ａ）、（Ｂ）及び（Ｃ）を含む、洗浄剤組成物：
（Ａ）セルロース誘導体またはその塩を含むポリマー粒子；
（Ｂ）起泡性界面活性剤；および
（Ｃ）水溶液。
【請求項２】
前記ポリマー粒子が１〜１０００ｎｍの平均粒子径を有する、請求項１記載の洗浄剤組成物。
【請求項３】
前記ポリマー粒子が、以下（ｉ）〜（ｉｉｉ）からなる群より選ばれる１以上の性質を有する、請求項１または２記載の洗浄剤組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
【請求項４】
前記セルロース誘導体が、ヒドロキシアルキルセルロース、ヒドロキシセルロース、カルボキシアルキルセルロース、カルボキシセルロース、アルキルセルロース、ヒドロキシアルキルアルキルセルロース、カチオン化セルロース、疎水化セルロース、またはそれらのエステル誘導体である、請求項１〜３のいずれか一項記載の洗浄剤組成物。
【請求項５】
前記セルロース誘導体が、ヒドロキシプロピルセルロース、エチルセルロース、ヒプロメロース、またはそれらのエステル誘導体である、請求項１〜４のいずれか一項記載の洗浄剤組成物。
【請求項６】
前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、請求項４または５記載の洗浄剤組成物。
【請求項７】
前記ポリマー粒子が２種以上のポリマーの混合物を含む、請求項１〜６のいずれか一項記載の洗浄剤組成物。
【請求項８】
前記ポリマー粒子が洗浄成分以外の有効成分をさらに含む、請求項１〜７のいずれか一項記載の洗浄剤組成物。
【請求項９】
前記有効成分が保湿剤または香料である、請求項８記載の洗浄剤組成物。
【請求項１０】
前記起泡性界面活性剤が、Ｎ−アシル酸性アミノ酸、Ｎ−アシル中性アミノ酸、ポリオキシエチレンアルキルエーテル硫酸、アルキル硫酸、およびアミドベタイン型両性界面活性剤、ならびにそれらの塩からなる群より選択される少なくとも一種の起泡性界面活性剤である、請求項１〜９のいずれか一項記載の洗浄剤組成物。
【請求項１１】
前記洗浄剤組成物が皮膚の洗浄剤である、請求項１〜１０のいずれか一項記載の洗浄剤組成物。
【請求項１２】
前記洗浄剤組成物が口腔内の洗浄剤である、請求項１〜１０のいずれか一項記載の洗浄剤組成物。
【発明の詳細な説明】
【技術分野】
【０００１】
本発明は、洗浄剤組成物に関する。
【背景技術】
【０００２】
従来から、皮膚用の洗浄剤には、皮膚の洗浄およびマッサージ効果を目的として、粉体粒子を配合した洗浄剤組成物が提供されている。例えば、特許文献１や特許文献２では、ポリエチレンビーズ（マイクロビーズ）、炭酸カルシウム、ポリアクリル酸塩、結晶セルロース、クルミ殻、カルナウバロウ等の粉体粒子が使用されている。しかしながら、これらの粉体粒子は、皮膚の洗浄およびマッサージ効果を有する反面、配合する粉体粒子の大きさや量によって、洗浄の際に、必要以上に角層（角質層）を削り取ってしまい、過度の皮膚刺激を与えることや、洗浄時の泡立ちが低下し、洗浄効果実感が損なわれるという課題があった。また、マイクロビーズや炭酸カルシウムは、生分解性が低く、使用後、自然界に排出されると、自然界にさまざまな悪影響を及ぼす可能性がある。そのため、２０１５年アメリカにおいては、「マイクロビーズ除去海域法」が制定され、マイクロビーズの製造・販売禁止が予定される等の動きが始まっている。一方で、結晶セルロース、クルミ殻、コルク粉末、難溶性デキストリン、トウモロコシ末等の天然系の粉体粒子は、自然界への影響は少ないものの、洗浄効果や、粒子の大きさや量によっては、過度の皮膚刺激性が懸念され、必ずしも顧客満足のいくものとは言えなかった。
【０００３】
一方で、近年、特許文献３に示すように、有効成分を含むコアシェル型カプセルを含有する皮膚用洗浄剤が報告されている。この目的は、保湿剤等の効能素材やフレグランス等の香料が、肌に持続的に機能を発現することにより、顧客満足を高めるためである。しかしながら、洗浄効果の点などの面で、満足な官能を得るには十分ではなかった。
【０００４】
特許文献４には、（Ａ）シリカ粒子または溶剤不溶性シリコーン樹脂、（Ｂ）水溶性シリコーン誘導体、および（Ｃ）ジメチルポリシロキサンの混合物を界面活性剤水溶液中に分散させることにより得られる洗浄剤組成物が記載されている。また、特許文献４には、洗浄剤組成物において、カチオン化セルロースが微量成分（０．４〜０．５重量％）として含まれていてもよいこと（実施例２および５、ならびに比較例２および５）が記載されている。
【０００５】
特許文献５には、水、少なくとも１種の生物界面活性剤、および少なくとも１種の脂肪酸を所定の比率で含む組成物が記載されている。また、特許文献５には、水、コカミドプロピルベタイン、およびカチオン化セルロース（ポリクオタニウム−１０）を含むシャンプー（表４１）、水、ココイルグルタミン酸ナトリウム、およびカチオン化セルロースを含むシャンプー（表４３）、ならびに水、ココイルグリシンナトリウム、カチオン化セルロースを含む起泡性身体洗浄料（表８２）が記載されている。
【０００６】
特許文献６には、長径が０．５μｍ〜１ｍｍ、短径が２ｎｍ〜６０μｍ、長径と短径の比率（長径／短径）が５〜４００の微細繊維状セルロース、および界面活性剤を所定の量で含むシャンプー（製造例１、実施例２）が記載されている。また、特許文献６には、微細繊維状セルロースが、植物細胞壁を起源としたセルロース性物質を湿式で粉砕し、短繊維化し、高圧ホモジナイザーでより微細化することにより得られるものであることが記載されている。
【０００７】
また、口腔用の洗浄剤には、口臭予防、歯周病予防、歯肉炎予防、歯の表面の清浄、歯肉のマッサージ効果を目的として、粉体粒子を配合した口腔用洗浄剤組成物が提供されている。例えば、特許文献７では、微結晶性セルロースが使用されている。しかしながら、この粉体粒子は、形状異方性であり、真球形状ではない。よって、これを含む洗浄剤は口腔内に過度な刺激を与えることや、微結晶性セルロース同士の摩擦が高まり、洗浄剤自体の粘度が上昇することで、洗浄効果実感が損なわれるという課題があった。
【先行技術文献】
【特許文献】
【０００８】
【特許文献１】特開２００４−１８９６１２号公報
【特許文献２】特開２０１２−２３３０５７号公報
【特許文献３】特開２００９−１３７９６６号公報
【特許文献４】特開平７−２１５８２８号公報
【特許文献５】特表２０１５−５０７６２６号公報
【特許文献６】特開２００９−６２３３２号公報
【特許文献７】特開２００３−９５９０４号公報
【発明の概要】
【発明が解決しようとする課題】
【０００９】
したがって、本発明の目的は、所望の官能等を備える洗浄剤組成物を提供することである。
【課題を解決するための手段】
【００１０】
本発明者らは、鋭意検討を行った結果、起泡性界面活性剤、および水溶液を含む洗浄剤組成物において、セルロース誘導体またはその塩を含むポリマー粒子を利用することにより、上記課題を解決できることを見出し、本発明を完成するに至った。先行技術は、洗浄剤組成物におけるセルロース誘導体またはその塩を含むポリマー粒子の使用、ならびに当該ポリマー粒子および起泡性界面活性剤の併用を記載も示唆もしていない。
【００１１】
すなわち、本発明は、以下のとおりである。
〔１〕下記成分（Ａ）、（Ｂ）及び（Ｃ）を含む、洗浄剤組成物：
（Ａ）セルロース誘導体またはその塩を含むポリマー粒子；
（Ｂ）起泡性界面活性剤；および
（Ｃ）水溶液。
〔２〕前記ポリマー粒子が１〜１０００ｎｍの平均粒子径を有する、〔１〕の洗浄剤組成物。
〔３〕前記ポリマー粒子が、以下（ｉ）〜（ｉｉｉ）からなる群より選ばれる１以上の性質を有する、〔１〕または〔２〕の洗浄剤組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
〔４〕前記セルロース誘導体が、ヒドロキシアルキルセルロース、ヒドロキシセルロース、カルボキシアルキルセルロース、カルボキシセルロース、アルキルセルロース、ヒドロキシアルキルアルキルセルロース、カチオン化セルロース、疎水化セルロース、またはそれらのエステル誘導体である、〔１〕〜〔３〕のいずれかの洗浄剤組成物。
〔５〕前記セルロース誘導体が、ヒドロキシプロピルセルロース、エチルセルロース、ヒプロメロース、またはそれらのエステル誘導体である、〔１〕〜〔４〕のいずれかの洗浄剤組成物。
〔６〕前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、〔４〕または〔５〕の洗浄剤組成物。
〔７〕前記ポリマー粒子が２種以上のポリマーの混合物を含む、〔１〕〜〔６〕のいずれかの洗浄剤組成物。
〔８〕前記ポリマー粒子が洗浄成分以外の有効成分をさらに含む、〔１〕〜〔７〕のいずれかの洗浄剤組成物。
〔９〕前記有効成分が保湿剤または香料である、〔８〕の洗浄剤組成物。
〔１０〕前記起泡性界面活性剤が、Ｎ−アシル酸性アミノ酸、Ｎ−アシル中性アミノ酸、ポリオキシエチレンアルキルエーテル硫酸、アルキル硫酸、およびアミドベタイン型両性界面活性剤、ならびにそれらの塩からなる群より選択される少なくとも一種の起泡性界面活性剤である、〔１〕〜〔９〕のいずれかの洗浄剤組成物。
〔１１〕前記洗浄剤組成物が皮膚の洗浄剤である、〔１〕〜〔１０〕のいずれかの洗浄剤組成物。
〔１２〕前記洗浄剤組成物が口腔用の洗浄剤である、〔１〕〜〔１０〕のいずれかの洗浄剤組成物。
【発明の効果】
【００１２】
本発明の洗浄剤組成物は、泡立ちに優れる。本発明の洗浄剤組成物はまた、所望の官能（例、洗浄力実感、効果持続性実感、および低皮膚刺激性）を備える。本発明の洗浄剤組成物はさらに、ポリマー粒子が有効成分を安定的に含むことができるので、かかる有効成分の効果および効能を利用する化粧品として有用である。
【図面の簡単な説明】
【００１３】
【図１】図１は、参考例１で得られた粒子の走査型電子顕微鏡写真を示す図である（参考例１を参照）。
【図２】図２は、参考例３で調製した粒子の自然乾燥後の走査型電子顕微鏡写真を示す図である（参考試験例１を参照）。
【発明を実施するための形態】
【００１４】
１．洗浄剤組成物
本発明は、下記成分（Ａ）、（Ｂ）及び（Ｃ）を含む洗浄剤組成物を提供する：
（Ａ）セルロース誘導体またはその塩を含むポリマー粒子；
（Ｂ）起泡性界面活性剤；および
（Ｃ）水溶液。
【００１５】
（Ａ）セルロース誘導体またはその塩を含むポリマー粒子
（Ａ１）ポリマー粒子
ポリマー粒子を構成するポリマーとして、セルロース誘導体またはその塩が、ポリマー粒子に含まれる。セルロース誘導体としては、例えば、ヒドロキシアルキルセルロース、ヒドロキシセルロース、カルボキシアルキルセルロース、カルボキシセルロース、アルキルセルロース、ヒドロキシアルキルアルキルセルロース、カチオン化セルロース、疎水化セルロース、ならびにそれらのエステル誘導体、およびセルロースのエステル誘導体が挙げられる。ヒドロキシアルキルセルロース、カルボキシアルキルセルロース、アルキルセルロース、およびヒドロキシアルキルアルキルセルロースにおけるアルキルとしては、炭素原子数１〜１２のアルキルが好ましく、炭素原子数１〜６のアルキルがより好ましく、炭素原子数１〜４のアルキルがさらに好ましい。上記炭素原子数に置換基の炭素原子数は含まれない。炭素原子数１〜１２のアルキルとしては、例えば、メチル、エチル、ｎ−プロピル、ｉ−プロピル、ｎ−ブチル、ｓ−ブチル、イソブチル、ｔ−ブチル、ペンチル、ヘキシル、ヘプチル、オクチル、ノニル、デシル、ドデシルが挙げられる。
【００１６】
ヒドロキシアルキルセルロースとしては、例えば、ヒドロキシメチルセルロース、ヒドロキシエチルセルロース、ヒドロキシプロピルセルロース、ヒドロキシブチルセルロース、ヒドロキシペンチルセルロース、またはヒドロキシヘキシルセルロースが挙げられる。
【００１７】
カルボキシアルキルセルロースとしては、例えば、カルボキシメチルセルロース、カルボキシエチルセルロース、カルボキシプロピルセルロース、カルボキシブチルセルロース、カルボキシペンチルセルロース、及びカルボキシヘキシルセルロースが挙げられる。
【００１８】
アルキルセルロースとしては、例えば、メチルセルロース、エチルセルロース、プロピルセルロース、ブチルセルロース、ペンチルセルロース、及びヘキシルセルロースが挙げられる。
【００１９】
ヒドロキシアルキルアルキルセルロースは、ヒドロキシアルキルおよびアルキルの双方を有するセルロースである。ヒドロキシアルキルアルキルセルロースとしては、例えば、ヒドロキシメチルおよびアルキルを有するセルロース（例、ヒドロキシメチルメチルセルロース、ヒドロキシメチルエチルセルロース、ヒドロキシメチルプロピルセルロース、ヒドロキシメチルブチルセルロース）、ヒドロキシエチルおよびアルキルを有するセルロース（例、ヒドロキシエチルメチルセルロース、ヒドロキシエチルエチルセルロース、ヒドロキシエチルプロピルセルロース、ヒドロキシエチルブチルセルロース）、ヒドロキシプロピルおよびアルキルを有するセルロース（例、ヒドロキシプロピルメチルセルロース（ヒプロメロース）、ヒドロキシプロピルエチルセルロース、ヒドロキシプロピルプロピルセルロース、ヒドロキシプロルブチルセルロース）、ヒドロキシブチルおよびアルキルを有するセルロース（例、ヒドロキシブチルメチルセルロース、ヒドロキシブチルエチルセルロース、ヒドロキシブチルプロピルセルロース、及びヒドロキシブチルブチルセルロース）が挙げられる。
【００２０】
カチオン化セルロースとは、カチオン性基を有するセルロースまたはその誘導体をいう。カチオン性基としては、例えば、トリアルキルアンモニウムが挙げられる。トリアルキルアンモニウムにおける３つのアルキルは、同一であっても異なっていてもよく、ヒドロキシアルキルセルロース、カルボキシアルキルセルロース、アルキルセルロース、およびヒドロキシアルキルアルキルセルロースにおける上述したアルキルと同様であり、好ましい範囲も同様である。
【００２１】
疎水化セルロースとは、疎水性基を有するセルロースまたはその誘導体をいう。疎水化セルロースとしては、例えば、アセチル化セルロースが挙げられる。
【００２２】
エステル誘導体は、上記セルロース誘導体におけるヒドロキシ中の水素原子がＲ−Ｃ（＝Ｏ）−（Ｒは、置換されていてもよい１価の基を示す。）により置換されてエステル部分を形成する誘導体である。エステル部分は、セルロース中に１以上存在していればよく、セルロースの全てモノマー単位中に必ずしも存在する必要はないが、セルロースの全てのモノマー単位中に１〜３個等の所定の数のエステル部分が存在していてもよい。Ｒにより示される１価の基としては、例えば、１価の鎖状炭化水素基（例、アルキル、アルケニル、およびアルキニル）、１価の脂環式炭化水素基（例、シクロアルキル、シクロアルケニル、シクロアルキニル）、１価の芳香族炭化水素基（例、フェニル、ナフチル等のアリール）、１価の芳香族複素環基（例、ピレニル、ピロリル、フラニル、チオフェニル、ピリジニル、ピリダジニル、ピリミジニル、ピラジニル、トリアジニル）、１価の非芳香族複素環基（例、オキシラニル、アジリジニル、アゼチジニル、オキセタニル、チエタニル、ピロリジニル、ジヒドロフラニル、テトラヒドロフラニル）、およびそれらの２以上（例、２、３または４）の組み合わせが挙げられる。１価の基は、好ましくは炭素原子数１〜１２であり、より好ましくは炭素原子数１〜１０であり、さらにより好ましくは炭素原子数１〜６である。これらの中でも、１価の基としては、アルキル、シクロアルキル（例、シクロプロピル、シクロブチル、シクロペンチル、シクロヘキシル）、アリール（例、フェニル、ナフチル）が好ましく、アルキルがより好ましい。上記１価の基としてのアルキルの例および好ましい例は、ヒドロキシアルキルセルロース、カルボキシアルキルセルロース、アルキルセルロース、およびヒドロキシアルキルアルキルセルロースにおける上述したアルキルと同様である。
【００２３】
Ｒとしての１価の基が有していてもよい置換基としては、例えば、ハロゲン原子（例、フッ素原子、塩素原子、臭素原子、ヨウ素原子）、カルボキシ、スルホ、シアノ、ニトロ、メルカプト、オキソ、グアニジノ、ヒドロキシ、アルキル、アルキルオキシ、アルキルカルボニル、アルキルオキシカルボニル、アルキルカルボニルオキシ、アルキルでモノもしくはジ置換されていてもよいアミノ（例、アミノ）、およびアルキルでモノもしくはジ置換されていてもよいアミノ−カルボニル（例、アミド）が挙げられる。アルキル、アルキルオキシ、アルキルカルボニル、アルキルオキシカルボニル、アルキルカルボニルオキシ、アルキルでモノもしくはジ置換されていてもよいアミノ、およびアルキルでモノもしくはジ置換されていてもよいアミノ−カルボニルにおけるアルキルの例および好ましい例は、ヒドロキシアルキルセルロース、カルボキシアルキルセルロース、アルキルセルロース、およびヒドロキシアルキルアルキルセルロースにおける上述したアルキルと同様である。
【００２４】
より具体的には、エステル誘導体としては、例えば、酢酸エステル（例、セルロースモノアセテート、セルロースジアセテート、セルローストリアセテート）、酪酸エステル、コハク酸エステル、グリコール酸エステル、プロピオン酸エステル、フタル酸エステル、およびこれらのエステルの２以上の組み合わせが挙げられる。特に好ましいエステル誘導体の例は、酢酸セルロース、（酢酸／プロピオン酸）セルロース、（酢酸／酪酸）セルロース、酢酸フタル酸セルロース、（酢酸／コハク酸）ヒドロキシプロピルメチルセルロースである。
【００２５】
セルロース誘導体またはその塩は、当該分野で公知の任意の方法により作製することができる。例えば、種々のグルコース誘導体が知られているので、このようなグルコース誘導体を適宜重合することにより、セルロース誘導体を得ることができる。また、セルロースについて種々の修飾法が知られているため、セルロースを適宜修飾することにより、このようなセルロース誘導体を得ることもできる。
【００２６】
ポリマー粒子を構成するポリマーは、１種のみのポリマーであってもよく、または２種以上（例、２種、３種、４種または５種）のポリマーの混合物であってもよい。したがって、ポリマー粒子は、上述したセルロース誘導体またはその塩を１種または２種以上含んでいてもよい。あるいは、ポリマー粒子は、上述したセルロース誘導体またはその塩に加えて、天然ポリマー、半合成ポリマー、または合成ポリマー等の他のポリマーを含んでいてもよい。天然ポリマーとしては、例えば、多糖類（例、セルロース、グアーガム、ローカストビーンガム、クインシードガム、カラギーナン、ペクチン、マンナン、デンプン、寒天、ザンサンガム、サクシノグリカン、カードラン、ヒアルロン酸、デキストラン）、タンパク質（例、ゼラチン、カゼイン、アルブミン、コラーゲン、アルギン酸）、およびそれらの塩が挙げられる。半合成ポリマーとしては、例えば、上記多糖類の修飾により得られる修飾多糖類〔例、デンプン誘導体（例、可溶化デンプン、カルボキシメチルデンプン）〕、上記タンパク質の修飾により得られる修飾タンパク質〔例、アルギン酸系ポリマー（例、アルギン酸プロピレングリコールエステル）〕、およびそれらの塩が挙げられる。合成ポリマーとしては、例えば、ビニル系ポリマー（例、アクリル酸ポリマー、メタクリル酸ポリマー）、ポリアルキレンオキサイド〔例、ポリエチレンオキサイド（ＰＥＯ）、ポリプロピレンオキサイド（ＰＰＯ）、ポリブチレンオキサイド（ＰＢＯ）〕、ポリアルキレングリコール〔例、ポリエチレングリコール（ＰＥＧ）、ポリプロピレングリコール（ＰＰＧ）、ポリブチレングリコール（ＰＢＧ）〕、およびそれらのコポリマー、ならびにそれらの塩が挙げられる。
【００２７】
ポリマー粒子を構成するポリマーは、ポリマー粒子の形態を安定化できるものである限り特に限定されず、同種のモノマー単位から構成されるホモポリマー、または異種のモノマー単位から構成されるヘテロポリマー（例、ランダムコポリマー、交互コポリマー、ブロックコポリマー、グラフトコポリマー、クシ型コポリマー）である。このようなポリマーはまた、主鎖が直線状である線状ポリマー、または主鎖が非直線状である分岐ポリマー（例、グラフトポリマー、クシ型ポリマー、ハイパーブランチポリマー、ラダーポリマー）であるが、線状ポリマーが好ましい。
【００２８】
ポリマー粒子を構成するポリマーは、ポリマー粒子の形態を安定化できる任意の重量平均分子量を有するものである限り特に限定されず、例えば、１０，０００以上、好ましくは２０，０００以上、より好ましくは３０，０００以上、さらにより好ましくは４０，０００以上である。重量平均分子量はまた、材料の入手のし易さ等の観点から、例えば１，０００，０００以下、８００，０００以下、６００，０００以下、４００，０００以下、３００，０００以下、または２００，０００以下であってもよい。
【００２９】
塩としては、例えば、金属塩、酸付加塩、および塩基との塩が挙げられる。金属塩としては、例えば、一価の金属（例、ナトリウム、およびカリウム）との塩、ならびに二価の金属（例、カルシウム、およびマグネシウム）との塩が挙げられる。酸付加塩としては、例えば、無機酸（例、塩化水素、臭化水素、硫酸、およびリン酸）との塩、ならびに有機酸（例、酢酸、乳酸、クエン酸、酒石酸、マレイン酸、フマル酸、およびモノメチル硫酸）との塩が挙げられる。塩基との塩としては、例えば、無機塩基（例、アンモニア）との塩、ならびに有機塩基（例、エチレンジアミン、プロピレンジアミン、エタノールアミン、モノアルキルエタノールアミン、ジアルキルエタノールアミン、ジエタノールアミン、トリエタノールアミン）との塩が挙げられる。
【００３０】
好ましい実施形態では、ポリマー粒子は、２種以上のポリマーの混合物を含む。２種以上のポリマーの混合物を含むことで、親水性物質となじみのよい親水性部位を粒子内部に持ちつつ、粒子表面を適度な疎水性を付加することができるという利点がある。好ましくは、２種以上のポリマーの混合物は、親水性ポリマーおよび疎水性ポリマーを含む２種以上（例、２種、３種、４種、または５種）のポリマーの混合物である。
【００３１】
本発明では、親水性ポリマーとは、水溶液（好ましくは水）に対する溶解度が１％（ｗｔ）以上のポリマーをいう。水溶性ポリマーについて、水溶液（好ましくは水）に対する溶解度は、好ましくは５％（ｗｔ）以上であり、より好ましくは７％（ｗｔ）以上である。親水性ポリマーとしては、例えば、ヒドロキシアルキル、ヒドロキシ、カルボキシアルキル、カルボキシ、またはカチオン性基で置換されたサッカリドをモノマー単位として含むポリマーが挙げられる。親水性ポリマーとしては、それが有する具体的な置換基等の種類にもよるが、ヒドロキシアルキルセルロース、ヒドロキシセルロース、カルボキシアルキルセルロース、例えば、カルボキシセルロース、カチオン化セルロース、およびそれらのエステル誘導体、ならびにそれらの塩が挙げられる。
【００３２】
好ましくは、親水性ポリマーは、有機溶媒に移行し易い親水性ポリマー（両親媒性ポリマー）であってもよい。両親媒性ポリマーとは、一つの分子内に親水性官能基からなる集合部位と疎水性官能基からなる集合部位を有し、界面活性剤のように水油界面でポリマーミセルを形成するものをいう。両親媒性ポリマーとしては、例えば、ヒドロキシアルキル、カルボキシアルキル、またはカチオン性基で置換されたサッカリドをモノマー単位として含むポリマーが挙げられる。両親媒性ポリマーとしては、それが有する具体的な置換基等の種類にもよるが、例えば、ヒドロキシアルキルセルロース、カルボキシアルキルセルロース、カチオン化セルロース、およびそれらのエステル誘導体、ならびにそれらの塩が挙げられる。
【００３３】
本発明では、疎水性ポリマーとは、水溶液（好ましくは水）に対する溶解度が１％（ｗｔ）未満のポリマーをいう。水溶性ポリマーについて、水溶液（好ましくは水）に対する溶解度は、好ましくは０．１％（ｗｔ）以下であり、より好ましくは０．０１％（ｗｔ）以下である。疎水性ポリマーとしては、それが有する具体的な置換基等の種類にもよるが、例えば、アルキルセルロース、ヒドロキシアルキルアルキルセルロース、疎水化セルロース、およびそれらのエステル誘導体、ならびにそれらの塩が挙げられる。
【００３４】
（Ａ２）有効成分
成分（Ａ）において、ポリマー粒子は、その内部に有効成分を含んでいてもよい。ポリマー粒子を溶液で複数回洗浄した後であっても、有効成分がポリマー粒子に含まれることが確認されている。ポリマー粒子に含まれる有効成分は、ポリマーと共有結合しておらず、ポリマーから遊離している。１種または２種以上（例、２種、３種、４種）の有効成分がポリマー粒子中に含まれていてもよい。有効成分は、ポリマー粒子内において、溶液（水溶液、または有機溶媒）中に分散して存在することができる。本発明の粒子はまた、有効成分に加えて、添加剤（例、メチルバラベン等の保存剤、抗酸化剤）等の他の成分を含んでいてもよい。
【００３５】
有効成分としては、例えば、低分子化合物が挙げられる。
【００３６】
用語「低分子化合物」とは、分子量１５００以下の化合物をいう。低分子化合物は、天然化合物または合成化合物である。低分子化合物の分子量は、１２００以下、１０００以下、９００以下、８００以下、７００以下、６００以下、５００以下、４００以下、または３００以下であってもよい。低分子化合物の分子量はまた、３０以上、４０以上、または５０以上であってもよい。低分子化合物としては、例えば、アミノ酸、オリゴペプチド、ビタミン、ヌクレオシド、ヌクレオチド、オリゴヌクレオチド、単糖、オリゴ糖、脂質、脂肪酸、およびそれらの代謝物、ならびにそれらの塩（例、上述したような金属塩、酸付加塩、および塩基との塩）が挙げられる。
【００３７】
有効成分は、水溶性成分であっても疎水性成分であってもよい。有効成分としての水溶性成分は、後述する粒子の製造方法において用いられる有機溶媒よりも水溶液（好ましくは水）に溶解し易い成分である。有効成分としての疎水性成分は、後述する粒子の製造方法において用いられる水溶液（好ましくは水）よりも有機溶媒に溶解し易い成分である。有効成分としては、例えば、アラントイン、アルブチン、セラミド、コウジ酸、エラグ酸、アミノ酸、アミノ酸誘導体、トラネキサム酸、グリチルリチン酸、フッ化物、ペプチド、オリゴペプチド、ビタミン、ビタミン誘導体、ヌクレオシド、ヌクレオチド、オリゴヌクレオチド、単糖、オリゴ糖、ホルモン、神経伝達物質、およびそれらの代謝物、ならびにそれらの塩が挙げられる。
【００３８】
好ましくは、有効成分は、洗浄成分以外の有効成分である。このような有効成分としては、例えば、保湿剤、香料、研磨剤、湿潤剤、香味剤が挙げられる。
【００３９】
保湿剤としては、例えば、ピロリドンカルボン酸、ポリアスパラギン酸、３−アセチル−２−エトキシカルボニル−２−メチル−１，３−チアゾリジン−４−カルボン酸、アミノ酸（例、グルタミン酸、アスパラギン酸、アルギニン、リジン、ヒスチジン、オルニチン、グリシン、アラニン、バリン、ロイシン、イソロイシン、セリン、スレオニン、アスパラギン、グルタミン、システイン、シスチン、メチオニン、フェニルアラニン、チロシン、トリプトファン、プロリン、ヒドロキシプロリン）、グリシルグリシン、アラニルグルタミン、ジペプチド−２（バリルトリプトファン）、ジペプチド−４（システニルグリシン）、ジペプチド−８（アラニルヒドロキシプロリン）、ジペプチド−９（グルタミルリジン）、ジペプチド−１１（システニルリジン）、ジペプチド−１７（グリシルプロリン）、ジペプチド−１９（ロイシルグルタミン酸）、ならびにそれらの塩が挙げられる。
【００４０】
香料としては、例えば、天然香料、および合成香料が挙げられる。天然香料としては、例えば、バラ油、ジャスミン油、ネロリ油、ラベンダー油、イランイラン油、チュベローズ油、クラリセージ油、クローブ油、ペパーミント油、ゼラニウム油、パチュリー油、サンダルウッド油、シンナモン油、コリアンダー油、ナツメグ油、ペッパー油、レモン油、オレンジ油、ベルガモット油、オポポナックス油、ベチバー油、オリス油、オークモス油が挙げられる。合成香料としては、例えば、リモネン（オレンジ）、β−カリオフィレン（ウッディ）、シス−３−ヘキセノール（新緑の若葉）、リナロール（スズラン）、ファルネソール（新鮮なグリーンノートでフローラル）、β−フェニルエチルアルコール（ローズ）、２，６−ノナジエナール（スミレ、キュウリ）、シトラール（レモン）、α−ヘキシルシンナミックアルデヒド（ジャスミン）、β−イオノン（薄めるとスミレ）、ι−カルボン（スペアミント）、シクロペンタデカノン（ムスク）、リナリルアセテート（ベルガモット、ラベンダー）、ベンジルベンゾエート（バルサム）、γ−ウンデカラクトン（ピーチ）、オイゲノール（丁子）、ローズオキサイド（グリーン・フローラル）、インドール（薄めるとジャスミン）、フェニルアセトアルデヒドジメチルアセタール（ヒヤシンス）、オーランチオール（オレンジフラワー）が挙げられる。
【００４１】
研磨剤としては、例えば、炭酸カルシウム、リン酸水素カルシウム、無水ケイ酸、水酸化アルミニウムが挙げられる。
【００４２】
湿潤剤としては、例えば、グリセリン、ソルビトールが挙げられる。
【００４３】
香味料としては、例えば、サッカリンナトリウム、ペパーミント油、スペアミント油、メントールが挙げられる。
【００４４】
ポリマー粒子の重量（粒子を構成するポリマーおよび有効成分の総重量）に対する有効成分の重量の割合は、ポリマー粒子を構成するポリマーおよび電解質性有効成分の種類、ならびに粒子の作製方法の条件等によって変動することから、特に限定されるものではないが、例えば０．０１〜８０％である。本発明の粒子の重量に対する有効成分の重量の割合は、好ましくは０．０５〜４０％、より好ましくは０．１〜１５％、さらにより好ましくは０．２〜１４％、特に好ましくは０．５〜１２％または１．０〜１０％である。あるいは、本発明の粒子の内部における有効成分の濃度は、例えば０．０１〜５０％（ｗｔ）、好ましくは０．０２〜４０％（ｗｔ）、より好ましくは０．０５〜３０％（ｗｔ）、さらにより好ましくは０．１〜２０％（ｗｔ）であってもよい。
有効成分の重量の測定は、当該分野で公知の任意の方法により行うことができる。このような方法としては、例えば、高速液体クロマトグラフィー（ＨＰＬＣ）、分光光度計（例、ＵＶ−ＶＩＳ分光光度計）を用いた方法が挙げられる。また、有効成分の濃度は、ポリマー粒子の製造において用いられる、有効成分を含む水溶液、または有効成分および第２ポリマーの双方を含む水溶液中の有効成分の濃度から評価することもできる。
【００４５】
本発明の粒子はまた、界面活性剤（例、ソルビタンモノオレート）、残留有機溶媒（例、ヘキサン等の炭化水素化合物）等の所定の成分（例、先行技術において粒子の製造に必要とされる成分）を実質的に含まないものであってもよい。本発明の粒子は、その製造方法においてこれらの成分を本質的に使用する必要がないため、これらの成分の混入を回避することができる。本発明の粒子において、表現「実質的に含まない」とは、本発明の粒子が所定の成分を完全に含まないこと、または本発明の粒子が所定の成分を含む場合であっても３．０％（ｗｔ）以下の量で含むことを意味する。好ましくは、表現「実質的に含まない」は、「完全に含まない」ことを意味する。表現「実質的に含まない」に関して、本発明の粒子は、所定の成分を含む場合、好ましくは、２．０％（ｗｔ）以下、より好ましくは、１．５％（ｗｔ）以下、さらにより好ましくは、１．０％（ｗｔ）以下、特に好ましくは０．５％（ｗｔ）以下、０．４％（ｗｔ）以下、０．３％（ｗｔ）以下、０．２％（ｗｔ）または０．１％（ｗｔ）以下の量で含む。より具体的には、本発明の粒子は、界面活性剤および残留有機溶媒の一方を実質的に含まないことが好ましく、界面活性剤および残留有機溶媒の双方を実質的に含まないことがより好ましい。
【００４６】
本発明の粒子はまた、後述するように、アセトン、アルコール（例、メタノール）、またはアセトンを多く含んでいてもよいアセトン・アルコール混液を、好ましい有機溶媒として用いることにより製造することができる。したがって、本発明の粒子は、アセトン、アルコール、またはアセトン・アルコール混液以外の有機溶媒を実質的に含まないものであってもよい。本発明の粒子の製造方法によれば、このような粒子を製造することができるが、従来の粒子の製造方法では、通常、このような粒子を製造することができない。
【００４７】
（Ａ３）ポリマー粒子のさらなる特徴
ポリマー粒子は、ポリマーまたはその塩、および有効成分に加えて、他の成分を含んでいてもよい。他の成分としては、例えば、有効成分の安定化剤（例、抗酸化剤）、界面活性剤、分散剤が挙げられる。
【００４８】
ポリマー粒子は、１〜１０００ｎｍの体積分布平均粒子径を有していてもよい。体積分布平均粒子径は、好ましくは５ｎｍ以上、より好ましくは１０ｎｍ以上、さらにより好ましくは２０ｎｍ以上、または５０ｎｍ以上である。体積分布平均粒子径はまた、好ましくは９００ｎｍ以下、より好ましくは８００ｎｍ、７００ｎｍ、６００ｎｍ、５００ｎｍ、または４００ｎｍ以下である。
体積分布平均粒子径の測定は、レーザー回折法により粒度分布を計測することにより行うことができる。好ましくは、レーザー回折法による粒度分布の計測は、レーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）を用いて行うことができる。
【００４９】
ポリマー粒子はまた、粒子膜上の水の接触角が２０〜７０度である性質を有していてもよい。粒子膜上の水の接触角が２０度以上であれば、適度な親水性を有し、角層における細胞間脂質への有効成分の分配が向上するため、好ましい。また、粒子膜上の水の接触角が７０度以下であれば、適度な疎水性を有し、角層における細胞間脂質へのなじみが良くなるため、好ましい。上記接触角は、好ましくは２５度以上、より好ましくは３０度以上、さらにより好ましくは３５度以上、特に好ましくは４０度以上であってもよい。上記接触角はまた、好ましくは６５度以下、より好ましくは６０度以下、さらにより好ましくは５５度以下、特に好ましくは５０度以下であってもよい。上記比率の算出の際、接触角として、内角が測定される。
粒子膜上の水の接触角の測定は、以下のとおり行うことができる。先ず、ポリマー粒子の膜（粒子膜）を得る。例えば、ポリマー粒子を含む溶液をポリスチレン基板上に滴下し、適温（例、室温（２７℃等））にて自然乾燥させて、ポリスチレン基板を完全に覆うポリマー粒子の膜（粒子膜）を得る。次に、このようにして得られた粒子膜に２０μＬの水滴を滴下した後、側面から画像を撮影する。その画像から接触角の値を計測する。
【００５０】
ポリマー粒子は、ポリスチレン基板上の水の接触角に対する、粒子膜上の水の接触角の比率が、０．２〜０．９の範囲内である性質を有していてもよい。当該比率が０．２以上であれば、ポリスチレン基板表面に対する適度な親水性を有するということができる。この場合、水を含む処方中への配合において分離し難くなると考えられる。したがって、当該比率が０．２以上であることが好ましい。また、当該比率が０．９以下であれば、適度な疎水性を有するということができる。この場合、油を含む処方中への配合において分離し難くなると考えられる。したがって、当該比率が０．９以下であることが好ましい。上記比率は、好ましくは０．３以上、より好ましくは０．４以上、さらにより好ましくは０．５以上であってもよい。上記比率はまた、好ましくは０．８以下、より好ましくは０．７以下、さらにより好ましくは０．６以下であってもよい。上記比率の算出の際、接触角として、内角が測定される。
粒子膜上の水の接触角の測定は、上記と同様にして行うことができる。
ポリスチレン基板上の水の接触角の測定は、以下のとおり行うことができる。ポリスチレン基板上に２０μＬの水滴を滴下した後、粒子膜上の水の接触角の測定と同じ上記方法により、接触角の値を計測する。
粒子膜上の水の接触角の値をポリスチレン基板上の水の接触角の値で除算することにより、ポリスチレン基板上の水の接触角に対する、粒子膜上の水の接触角の比率を算出することができる。
【００５１】
ポリマー粒子はまた、電気泳動による移動度の絶対値が２μｍｃｍ／Ｖｓ以上である性質を有していてもよい。当該絶対値が０．２２μｍｃｍ／Ｖｓ以上であれば、粒子は完全なゲル状表面を有するのではなく、有効成分を粒子内部に保持できるため、好ましい。したがって、ポリマー粒子は、表面がゲル状ではなく境界をしっかりともった性質を有する。上記移動度の絶対値は、好ましくは２．５μｍｃｍ／Ｖｓ以上、より好ましくは３．０μｍｃｍ／Ｖｓ以上、さらにより好ましくは３．５μｍｃｍ／Ｖｓ以上であってもよい。上記移動度の絶対値はまた、好ましくは６．０μｍｃｍ／Ｖｓ以下であってもよい。当該絶対値が６．０μｍｃｍ／Ｖｓ以下であれば、粒子は硬質で媒体を通さない表面特性（例、ポリスチレン粒子の表面特性）を有するのではなく、皮膚表面等の生体組織と接触した際に適切なタイミングで媒体とともに有効成分を放出できるような表面特性を有することから、好ましい。当該絶対値は、より好ましくは５．５μｍｃｍ／Ｖｓ以下、さらにより好ましくは５．０μｍｃｍ／Ｖｓ以下であってもよい。
電気泳動によるポリマー粒子の電気泳動による移動度の測定は、１ｍＭ  ＮａＣｌ水溶液中のポリマー粒子を、ＺｅｔａｓｉｚｅｒＮａｎｏＳ（Ｍａｌｖｅｒｎ  Ｉｎｓｔｒｕｍｅｎｔｓ  Ｌｔｄ．製）を用いて、その移動度を解析することにより行うことができる（好ましくは、１ｍＭ  ＮａＣｌ水溶液中で移動度を測定）。
【００５２】
ポリマー粒子はまた、複合粒子であっても非複合粒子であってもよい。用語「複合粒子」とは、２以上の異種粒子が結合（例、吸着、付着）することにより形成される粒子凝集物をいう。このような複合粒子は、所定の方法（例、造粒法、粒子複合化法）により２以上の異種粒子から製造することができる。一方、非複合粒子は、このような複合粒子ではなく、２以上の異種粒子が結合することにより形成されるものではない。ポリマー粒子は、複合粒子または非複合粒子のいずれの形態においても好適に使用することができるが、ナノ粒子として十分に小さいサイズ（例、５００ｎｍ以下）に自由に設計できることを利点の一つとし、また、非複合粒子の形態であっても所望の特性を十分に発揮できることから、好ましくは、非複合粒子の形態で用いることができる。
【００５３】
ポリマー粒子はまた、硬質または軟質の表面を有していてもよい。ポリマー粒子はまた、真球状、楕円状、ゴルフボール状、ヤヌス粒子状等の形状を有していてもよいが、好ましくは真球状の形状を有する。ポリマー粒子のこれらの性質は、走査型電子顕微鏡で外観を観察することにより確認することができる。
【００５４】
ポリマー粒子はまた、高い液状安定性を有する。例えば、ポリマー粒子は、冷蔵（例、４℃）にて６月以上、１２月以上、または１８月以上保存した後も、凝集することなく粒子状態を維持することができる。
【００５５】
ポリマー粒子は、粉末化することが可能である。粉末化する方法としては、例えば、凍結乾燥、スプレードライ、流動層造粒、攪拌造粒、超臨界造粒、自然乾燥が挙げられる。ポリマー粒子はまた、粉末化後に溶媒（例えば、後述する溶媒、好ましくは、水等の水溶液）に分散可能であるという性質を有する。
【００５６】
ポリマー粒子は、液状形態、または粉末化形態において提供することができるが、好ましくは粉末化形態で提供される。
【００５７】
（Ｂ）起泡性界面活性剤
起泡性界面活性剤は、水と混合して機械的に撹拌すると泡沫（ｆｏａｍｓ）又は泡（ｂｕｂｂｌｅｓ）を発生する能力を有する界面活性剤を意味する。このような界面活性剤はまた、洗浄剤（ｄｅｔｅｒｇｅｎｔ）とも呼ばれ得る。起泡性界面活性剤としては、例えば、アニオン性界面活性剤、両性界面活性剤、ノニオン性界面活性剤が挙げられる。
【００５８】
アニオン性界面活性剤は、１種または２種以上のアニオン性基を含む。アニオン性基としては、例えば、カルボキシル基、スルホン酸基、硫酸基、リン酸基が挙げられる。アニオン性界面活性剤としては、例えば、高級脂肪酸、Ｎ−アシルアミノ酸、Ｎ−アシルタウリン、アルキルエーテルカルボン酸、アルキルリン酸、ポリオキシエチレンアルキルエーテルリン酸、アルキル硫酸、ポリオキシエチレンアルキルエーテル硫酸、アルキル鎖を有するスルホン酸化合物、およびこれらの塩が挙げられる。高級脂肪酸（Ｒ１−ＣＯＯＨ）におけるＲ１、ならびにＮ−アシルアミノ酸およびＮ−アシルタウリンにおけるアシル部分（Ｒ２−Ｃ（＝Ｏ）−）のＲ２は、直鎖または分岐鎖の飽和または不飽和炭化水素基であり、好ましくは直鎖または分岐鎖のアルキルである。アルキルエーテルカルボン酸、アルキルリン酸、ポリオキシエチレンアルキルエーテルリン酸、アルキル硫酸、ポリオキシエチレンアルキルエーテル硫酸、およびアルキル鎖を有するスルホン酸化合物のアルキルは、直鎖または分岐鎖のアルキルである。このようなアルキルの炭素原子数は、例えば６〜３０個、好ましくは炭素原子数７〜２６個、より好ましくは炭素原子数８〜２２個である。
より具体的には、高級脂肪酸としては、例えば、カプリル酸、ペラルゴン酸、カプリン酸、ウンデシル酸、ラウリン酸、トリデシル酸、ミリスチン酸、ペンタデシル酸、パルミチン酸、マルガリン酸、ステアリン酸、ヤシ油脂肪酸が挙げられる。
Ｎ−アシルアミノ酸としては、Ｎ−アシルグルタミン酸（例、ラウロイルグルタミン酸、ミリストイルグルタミン酸、ステアロイルグルタミン酸、ヤシ油脂肪酸アシル（ココイル）グルタミン酸）、Ｎ−アシルアスパラギン酸（例、ラウロイルアスパラギン酸、ミリストイルアスパラギン酸、ヤシ油脂肪酸アシル（ココイル）アスパラギン酸）等のＮ−アシル酸性アミノ酸；ならびにＮ−アシル−Ｎ−メチル−β−アラニン（例、ラウロイルメチル−β−アラニン、ミリストイルメチル−β−アラニン、ヤシ油脂肪酸メチル−β−アラニン）、Ｎ−アシルグリシン塩（例、ヤシ油脂肪酸アシル（ココイル）グリシン）、Ｎ−アシルアラニン（例、ラウロイルアラニン、ミリストイルアラニン、ヤシ油脂肪酸アシル（ココイル）アラニン）、Ｎ−アシルサルコシン（例、ラウロイルサルコシン、ミリストイルサルコシン、ヤシ油脂肪酸サルコシン）等のＮ−アシル中性アミノ酸が挙げられる。
Ｎ−アシルタウリンとしては、例えば、ココイルメチルタウリン酸、ラウロイルメチルタウリン、ミリストイルメチルタウリン、パルミトイルメチルタウリン、ステアロイルメチルタウリンが挙げられる。
アルキルエーテルカルボン酸としては、例えば、ラウレスカルボン酸、トリデセスカルボン酸が挙げられる。
アルキルリン酸としては、例えば、ラウリルリン酸が挙げられる。
ポリオキシエチレンアルキルエーテルリン酸としては、例えば、ラウレスリン酸が挙げられる。
アルキル硫酸としては、例えば、ラウリル硫酸、ミリスチル硫酸、ステアリル硫酸、オレイル硫酸、セチル硫酸が挙げられる。
ポリオキシエチレンアルキルエーテル硫酸としては、例えば、ポリオキシエチレンラウリルエーテル硫酸（ラウレス硫酸）、ポリオキシエチレンミリスチルエーテル硫酸が挙げられる。
アルキル鎖を有するスルホン酸化合物としては、例えば、テトラデセンスルホン酸、ラウリルスルホ酢酸、スルホコハク酸ジエチルヘキシル、スルホコハク酸ジオクチル、スルホコハク酸ラウリル、ラウロイルイセチオン酸、ラウロイルメチルイセチオン酸、オレフィン（炭素原子数１２〜１４）スルホン酸が挙げられる。
塩としては、上述したものが挙げられるが、汎用される塩（例、ナトリウム塩、カリウム塩、トリエタノールアミン塩、アンモニウム塩）であってもよい。
【００５９】
両性界面活性剤は、上述したような１種または２種以上のアニオン性基、および１種または２種以上のカチオン性基を含む。カチオン性基としては、例えば、アンモニウム基、１級アミノ基、２級アミノ基、３級アミノ基、４級アミノ基が挙げられる。両性界面活性剤としては、例えば、アミドベタイン型両性界面活性剤、酢酸ベタイン型両性界面活性剤、スルホベタイン型両性界面活性剤、イミダゾリン型両性界面活性剤が挙げられる。これらの両性界面活性剤は、直鎖または分岐鎖のアルキルを有する。このようなアルキルの炭素原子数は、例えば６〜３０個、好ましくは炭素原子数７〜２６個、より好ましくは炭素原子数８〜２２個である。
アミドベタイン型両性界面活性剤は、アミド部分（Ｒ３−Ｃ（＝Ｏ）−ＮＨ−）を有するベタインである。Ｒ３は、直鎖または分岐鎖のアルキルを示す。Ｒ３により示されるアルキルの炭素原子数は、例えば６〜３０個、好ましくは炭素原子数７〜２６個、より好ましくは炭素原子数８〜２２個である。アミドベタイン型両性界面活性剤としては、例えば、ヤシ油脂肪酸アミド（コカミド）プロピルベタイン、パーム核脂肪酸アミドプロピルベタイン、ラウリン酸アミドプロピルベタイン、ミリスチン酸アミドプロピルベタイン、リシノレイン酸アミドプロピルベタイン、ラウリン酸アミドプロピルヒドロキシスルホベタイン、ラウリン酸アミドプロピルジメチルアミンオキシドが挙げられる。
酢酸ベタイン型両性界面活性剤は、酢酸部分および直鎖または分岐鎖のアルキルを有するベタインである。アルキルの炭素原子数は、例えば６〜３０個、好ましくは炭素原子数７〜２６個、より好ましくは炭素原子数８〜２２個である。酢酸ベタイン型両性界面活性剤としては、例えば、ラウリルジメチルアミノ酢酸ベタイン、ヤシ油アルキルジメチルアミノ酢酸ベタイン、ステアリルジメチルアミノ酢酸ベタイン、ステアリルジヒドロキシエチルベタイン、Ｎ−ヤシ油脂肪酸アシル−Ｎ’−カルボキシエチル−Ｎ’−ヒドロキシエチルエチレンジアミン、ラウリルアミノジプロピオン酸が挙げられる。
スルホベタイン型両性界面活性剤は、スルホン酸部分および直鎖または分岐鎖のアルキルを有するベタインである。アルキルの炭素原子数は、例えば６〜３０個、好ましくは炭素原子数７〜２６個、より好ましくは炭素原子数８〜２２個である。スルホベタイン型両性界面活性剤としては、例えば、ラウリン酸アミドプロピルヒドロキシスルホベタイン、ラウリルヒドロキシスルホベタイン、ヤシ油脂肪酸ヒドロキシスルホベタイン、ミリスチン酸アミドプロピルヒドロキシスルホベタイン、オレアミドプロピルヒドロキシスルホベタイン、ラウリルスルホベタイン、コカミドプロピルヒドロキシスルタインが挙げられる。
イミダゾリン型両性界面活性剤は、イミダゾリニウム部分および直鎖または分岐鎖のアルキルを有するベタインである。アルキルの炭素原子数は、例えば６〜３０個、好ましくは炭素原子数７〜２６個、より好ましくは炭素原子数８〜２２個である。イミダゾリン型両性界面活性剤としては、例えば、２−アルキル−Ｎ−カルボキシメチル−Ｎ−ヒドロキシエチルイミダゾリニウムベタイン、ウンデシルヒドロキシエチルイミダゾリニウムベタインが挙げられる。
【００６０】
ノニオン性界面活性剤としては、例えば、糖と高級アルコールがグリコシド結合したアルキルポリグルコシドが挙げられる。高級アルコールの炭素原子数は、例えば６〜３０個、好ましくは炭素原子数７〜２６個、より好ましくは炭素原子数８〜２２個である。アルキルポリグルコシドとしては、例えば、デシルグルコシド、ラウリルグルコシド、ココグルコシドが挙げられる。
【００６１】
（Ｃ）水溶液
水溶液としては、例えば、水（例、蒸留水、滅菌蒸留水、精製水、生理食塩水）、および緩衝液が挙げられる。緩衝液としては、例えば、リン酸緩衝液、Ｔｒｉｓ−塩酸緩衝液、ＴＥ（Ｔｒｉｓ−ＥＤＴＡ）緩衝液、炭酸−重炭酸緩衝液、ホウ酸緩衝液、酒石酸緩衝液、塩酸−塩化カリウム緩衝液、グリシン−塩酸緩衝液、グリシン−水酸化ナトリウム緩衝液、クエン酸緩衝液、クエン酸−リン酸緩衝液、酢酸緩衝液が挙げられる。好ましくは、水溶液は、水である。
【００６２】
（Ｄ）洗浄剤組成物
本発明の洗浄剤組成物におけるポリマー粒子の配合量は、特に限定されるものではないが、例えば０．０１％（ｗｔ）以上、好ましくは０．０２％（ｗｔ）以上、より好ましくは０．０３％（ｗｔ）以上、さらにより好ましくは０．０５％（ｗｔ）以上であってもよい。配合量はまた、例えば２０％（ｗｔ）以下、好ましくは１５％（ｗｔ）以下、より好ましくは１０％（ｗｔ）以下、さらにより好ましくは８％（ｗｔ）以下であってもよい。より具体的には、配合量は、例えば０．０１〜２０％（ｗｔ）、好ましくは０．０２〜１５％（ｗｔ）、より好ましくは０．０３〜１０％（ｗｔ）、さらにより好ましくは０．０５〜８％（ｗｔ）であってもよい。本発明の洗浄剤組成物は、ポリマー粒子を１種または２種以上含んでいてもよい。
【００６３】
本発明の洗浄剤組成物における起泡性界面活性剤の配合量は、特に限定されるものではないが、例えば０．５％（ｗｔ）以上、好ましくは１．０％（ｗｔ）以上、より好ましくは２．０％（ｗｔ）以上、さらにより好ましくは５．０％（ｗｔ）以上であってもよい。配合量はまた、例えば５０．０％（ｗｔ）以下、好ましくは４０．０％（ｗｔ）以下、より好ましくは３０．０％（ｗｔ）以下、さらにより好ましくは２０．０％（ｗｔ）以下であってもよい。より具体的には、配合量は、例えば０．５〜５０％（ｗｔ）、好ましくは１．０〜４０．０％（ｗｔ）、より好ましくは２．０〜３０．０％（ｗｔ）、さらにより好ましくは５．０〜２０．０％（ｗｔ）であってもよい。本発明の洗浄剤組成物は、起泡性界面活性剤を１種または２種以上含んでいてもよい。
【００６４】
本発明の洗浄剤組成物におけるポリマー粒子と起泡性界面活性剤との重量比は、特に限定されるものではないが、ポリマー粒子の１重量部に対して、起泡性界面活性剤が例えば２重量部以上、好ましくは５重量部以上、より好ましくは１０重量部以上、さらにより好ましくは１５重量部以上、特に好ましくは２０重量部以上であってもよい。また、ポリマー粒子の１重量部に対して、起泡性界面活性剤が例えば１０００重量部以下、好ましくは８００重量部以下、より好ましくは６００重量部以下、さらにより好ましくは４００重量部以下、特に好ましくは２００重量部以下であってもよい。より具体的には、有効成分を含むポリマー粒子の１重量部に対して、起泡性界面活性剤が例えば２〜１０００重量部、好ましくは５〜８００重量部、より好ましくは１０〜６００重量部、さらにより好ましくは１５〜４００重量部、特に好ましくは２０〜２００重量部であってもよい。
【００６５】
本発明の洗浄剤組成物における水溶液の配合量は、特に限定されるものではないが、例えば１０％（ｗｔ）以上、好ましくは２０％（ｗｔ）以上、より好ましくは３０％（ｗｔ）以上、さらにより好ましくは４０％（ｗｔ）以上、特に好ましくは５０％（ｗｔ）以上であってもよい。本配合量はまた、例えば９９％（ｗｔ）以下、好ましくは９５％（ｗｔ）以下、より好ましくは９０％（ｗｔ）以下、さらにより好ましくは８５％（ｗｔ）以下、特に好ましくは８０％（ｗｔ）以下であってもよい。より具体的には、本配合量は、例えば１０〜９９％（ｗｔ）、好ましくは２０〜９５％（ｗｔ）、より好ましくは３０〜９０％（ｗｔ）、さらにより好ましくは４０〜８５％（ｗｔ）、特に好ましくは５０〜８０％（ｗｔ）であってもよい。本発明の洗浄剤組成物は、水溶液で希釈して用いることもできる。
【００６６】
本発明の洗浄剤組成物におけるポリマー粒子と水溶液との重量比は、特に限定されるものではないが、ポリマー粒子の１重量部に対して、水溶液が例えば１．０重量部以上、好ましくは１．２重量部以上、より好ましくは１．５重量部以上、さらにより好ましくは１．８重量部以上、特に好ましくは２．０重量部以上であってもよい。また、ポリマー粒子の１重量部に対して、水溶液が例えば４０重量部以下、好ましくは３０重量部以下、より好ましくは２５重量部以下、さらにより好ましくは２０重量部以下、特に好ましくは１５重量部以下であってもよい。より具体的には、ポリマー粒子の１重量部に対して、水溶液が例えば１．０〜４０重量部、好ましくは１．２〜３０重量部、より好ましくは１．５〜２５重量部、さらにより好ましくは１．８〜２０重量部、特に好ましくは２．０〜１５重量部であってもよい。
【００６７】
本発明の洗浄剤組成物はまた、ポリマー粒子として、同種のポリマー粒子のみを含むものであっても、または異種のポリマー粒子を含むものであってもよい。用語「同種のポリマー粒子」とは、粒径および構成成分が同様であるポリマー粒子をいう。同じ条件（例、成分の種類および量、ならびに処理様式が同様である条件）下で製造されるポリマー粒子は、同種のポリマー粒子であると考えることができる。一方、用語「異種のポリマー粒子」とは、粒径および構成成分の一方または双方が異なるポリマー粒子をいう。異なる条件（例、成分の種類および量、ならびに処理条件のいずれかが異なる条件）下で製造されるポリマー粒子は、異種のポリマー粒子であると考えることができる。本発明の洗浄剤組成物は、ポリマー粒子として、同種のポリマー粒子のみを含むものであっても、所望の特性を十分に発揮できることから、粒子の調製／入手の負担の軽減等の観点から、好ましくは、同種のポリマー粒子のみを含んでいてもよい。したがって、本発明のゲル状組成物は、平均粒子径１μｍを超えるポリマー粒子を含まないものであってもよい。
【００６８】
本発明の洗浄剤組成物はさらに、上述したような有効成分を１種または２種以上さらに含んでいてもよい。好ましくは、本発明の洗浄剤組成物にさらに含まれる有効成分は、本発明の洗浄剤組成物に含まれるポリマー粒子に含まれ得る有効成分と同じであっても異なっていてもよいが、異なることが好ましい。
【００６９】
本発明の洗浄剤組成物は、上記成分（Ａ）〜（Ｃ）に加えて、ｐＨ調整剤を含んでいてもよい。ｐＨ調整剤としては、例えば、酸性物質（例、塩酸、硫酸、硝酸）、アルカリ性物質（例、Ｎａ、Ｋ等のアルカリ金属、カルシウム等のアルカリ土類金属の水酸化物）が挙げられる。本発明の洗浄剤組成物のｐＨは、例えば５．０〜９．０であり、好ましくは５．５〜８．０である。
【００７０】
本発明の洗浄剤組成物は、上記成分に加えて、洗浄剤として有用な成分をさらに含んでいてもよい。このような成分としては、例えば、上述したような有効成分、清涼剤または香料（例、リモネン、シトラール、メントール、バラ油、ローズ油）、多価アルコール（例、エチレングリコール、プロピレングリコール、グリセリン、グルコース、マルトースの糖類）、増粘剤（例、上述したようなポリマー）、油分、酸化防止剤、キレート剤、防腐剤、色素が挙げられる。これらの成分の具体的な種類および量は、適宜設定することができる。
【００７１】
本発明の洗浄剤組成物は、例えば、液状、ゲル状、ペースト状、クリーム状、泡状などの種々の形態において提供することができる。
【００７２】
好ましい実施形態では、本発明の洗浄剤組成物は皮膚の洗浄剤である。
【００７３】
本発明の洗浄剤は、常法に従って、例えば皮膚、毛髪、頭皮等に適用可能な任意の形態の製剤とすることができる。本発明の洗浄剤は、例えば、ヒト等の動物用の洗浄剤として、ボディシャンプー、ハンドソープ、洗顔剤、クレンジングローション、クレンジングクリーム、マッサージクリーム、頭髪用シャンプー等の用途に好適である。
【００７４】
２．洗浄剤組成物の調製方法
本発明の洗浄剤組成物は、（１）セルロース誘導体またはその塩を含むポリマー粒子を調製し、（２）調製したポリマー粒子を起泡性界面活性剤と水溶液中において混合することにより調製することができる。
【００７５】
（１）セルロース誘導体またはその塩を含むポリマー粒子の調製
セルロース誘導体またはその塩（以下、必要に応じて、簡略化のため「ポリマー」と呼称する）を含むポリマー粒子の調製は、（ｉ）ポリマーを含む有機溶媒と（ｉｉ）水溶液とを、有機溶媒および水溶液の混合液としてＷ／Ｏ型分散液が形成されるように混合して、粒子を析出させることにより行われる。有効成分を含むポリマー粒子の調製が意図される場合、有効成分は、有機溶媒または水溶液のいずれに含まれていてもよく、その両方に含まれていてもよいが、好ましくは、水溶液に含まれる。
【００７６】
（ｉ）において、有機溶媒に含まれるポリマーは、有機溶媒に溶解できるポリマーである限り特に限定されないが、上述したような疎水性ポリマーが好ましい。有機溶媒中のポリマーの量は、有機溶媒中にポリマーが溶解できる量である限り特に限定されないが、例えば、０．０５〜３０％（ｗｔ）、好ましくは、０．１〜１５％（ｗｔ）、より好ましくは、０．２〜１０％（ｗｔ）、さらにより好ましくは、０．３〜７％（ｗｔ）である。
【００７７】
（ｉｉ）において、有効成分および水溶液は、上述したものと同様である。有機溶媒または水溶液中の有効成分の量は、有機溶媒または水溶液中に有効成分が溶解でき、かつポリマー粒子の使用目的の有効成分量を達成できる量である限り特に限定されないが、例えば０．０１〜５０％（ｗｔ）、好ましくは０．０２〜４０％（ｗｔ）、より好ましくは０．０５〜３０％（ｗｔ）、さらにより好ましくは０．１〜２０％（ｗｔ）である。有効成分としては、上述したような水溶性成分および疎水性成分のいずれも使用することができる。
【００７８】
ポリマーを含む有機溶媒は、水溶液（好ましくは、有効成分を含む水溶液）と混合したときにＷ／Ｏ（ウォーター・イン・オイル）型分散液が形成されるように、水溶液（好ましくは、有効成分を含む水溶液）が有機溶媒に溶解させたポリマーによって相分離できるものが用いられる。このような有機溶媒としては、例えば、ケトン溶媒（例、アセトン、メチルエチルケトン、メチルイソブチルケトン、メチルブチルケトン）、エーテル溶媒（例、ジエチルエーテル、テトラヒドロフラン、ジイソプロピルエーテル、ジオキサン）、アルコール溶媒（例、メタノール、エタノール、プロパノール、ブタノール）、非プロトン性極性溶媒（例、Ｎ−メチル−２−ピロリドン（ＮＭＰ）、ジメチルスルホキシド（ＤＭＳＯ）、Ｎ，Ｎ−ジメチルホルムアミド（ＤＭＦ）、Ｎ，Ｎ−ジメチルアセトアミド（ＤＭＡ））、カルボン酸溶媒（例、ギ酸、酢酸、プロピオン酸、酪酸、乳酸）、エステル溶媒（例、酢酸エチル、酢酸ブチル、プロピオン酸ブチル、酪酸ブチル）、ハロゲン化炭化水素系溶媒（例、クロロホルム、塩化メチレン、四塩化炭素、ジクロロエタン、トリクロロエタン、クロロベンゼン）、非芳香族炭化水素系溶媒（例、ペンタン、ヘキサン、ヘプタン、オクタン、シクロヘキサン、シクロペンタン）、芳香族炭化水素系溶媒（例、ベンゼン、トルエン、キシレン）、ならびにこれらの混合液が挙げられる。
【００７９】
好ましくは、有機溶媒は、ポリマー粒子を効率良く作製する等の観点から、水溶液（好ましくは水）と混和可能な有機溶媒である。水溶液と混和可能な有機溶媒としては、例えば、ケトン溶媒、エーテル溶媒、アルコール溶媒、非プロトン性極性溶媒、カルボン酸溶媒、エステル溶媒が挙げられる。水溶液と混和するが水と共沸しない有機溶媒の使用の観点から、好ましい有機溶媒は、アセトン、アルコール（例、メタノール）、またはアセトンを多く含んでいてもよいアセトン・アルコール混液である。
【００８０】
混合の際の温度は、有機溶媒および水溶液が液体状態にある温度である限り特に限定されないが、例えば、５〜５０℃、好ましくは１５〜４０℃である。混合の時間は、例えば、ポリマー粒子が形成される限り特に限定されないが、例えば、５〜６０分、好ましくは、１５〜３０分である。
【００８１】
一実施形態では、Ｗ／Ｏ型分散液が形成されるようにする上記混合は、例えば、（Ｉ）（ｉ）ポリマーを含む有機溶媒を、（ｉｉ）水溶液に徐々に添加することにより、行うことができる。有効成分は、有機溶媒または水溶液のいずれに含まれていてもよく、その両方に含まれていてもよいが、好ましくは、水溶液に含まれる。この場合、ポリマーを含む有機溶媒の添加量の増加により、Ｏ／Ｗ型分散液からＷ／Ｏ型分散液へと溶液の状態を変化させることができる。この場合、ポリマー粒子が形成されることが確認されている（参考例１〜１９を参照）。Ｏ／Ｗ型分散液からＷ／Ｏ型分散液へと溶液の状態の変化を引き起こすことにより、ポリマー粒子の生成量を増やすことができる。
【００８２】
別の実施形態では、Ｗ／Ｏ型分散液が形成されるようにする上記混合は、例えば、（ＩＩ）（ｉｉ）水溶液を、（ｉ）ポリマーを含む有機溶媒に徐々に添加することにより、行うことができる。有効成分は、有機溶媒または水溶液のいずれに含まれていてもよく、その両方に含まれていてもよいが、好ましくは、水溶液に含まれる。この場合、（ｉｉ）有効成分を含む水溶液の添加量を、（ｉ）ポリマーを含む有機溶媒の量に比し低く抑えることにより、Ｗ／Ｏ型分散液からＯ／Ｗ型分散液へと溶液の状態が変化しないように（換言すれば、Ｗ／Ｏ型分散液の状態が維持されるように）、設定することができる。この場合、ポリマー粒子が形成されることが確認されている（参考例２０を参照）。
【００８３】
好ましい実施形態では、有効成分を含むポリマー粒子の調製は、（ｉ’）第１ポリマーを含む有機溶媒と（ｉｉ’）有効成分および第２ポリマーの双方を含む水溶液とを、有機溶媒および水溶液の混合液としてＷ／Ｏ型分散液が形成されるように混合して、ポリマー粒子を析出させることを含む。ポリマー粒子の製造方法において、有機溶媒中の第１ポリマー、および水溶液中の第２ポリマーを併用することにより、製造されるポリマー粒子が、水溶性ゲルと硬質の両面の性質を持たせることができるという利点がある。
【００８４】
（ｉ’）において、第１ポリマー、有機溶媒、および有機溶媒中の第１ポリマーの量の定義、例および好ましい例は、（ｉ）で述べたポリマー、有機溶媒、および有機溶媒中のポリマーの量と同様である。
【００８５】
（ｉｉ’）において、有効成分、水溶液、および水溶液中の有効成分の量の定義、例および好ましい例は、（ｉｉ）で述べたものと同様である。
【００８６】
（ｉｉ’）において、水溶液に含まれる第２ポリマーは、水溶液に溶解できるポリマーである限り特に限定されないが、上述したような親水性ポリマーが好ましい。水溶液中のポリマーの量は、水溶液中にポリマーが溶解できる量である限り特に限定されないが、例えば、０．００１〜１５％（ｗｔ）、好ましくは、０．００３〜１０％（ｗｔ）、より好ましくは、０．００５〜７％（ｗｔ）、さらにより好ましくは、０．０１〜５％（ｗｔ）である。
【００８７】
好ましい特定の実施形態では、Ｗ／Ｏ型分散液が形成されるようにする上記混合は、例えば、（Ｉ’）（ｉ’）第１ポリマーを含む有機溶媒を、（ｉｉ’）有効成分および第２ポリマーの双方を含む水溶液に徐々に添加することにより、行うことができる。この場合、ポリマーを含む有機溶媒の添加量の増加により、Ｏ／Ｗ型分散液からＷ／Ｏ型分散液へと溶液の状態を変化させることができる。この場合、ポリマー粒子が形成されることが確認されている（参考例１〜１９を参照）。Ｏ／Ｗ型分散液からＷ／Ｏ型分散液へと溶液の状態の変化を引き起こすことにより、ポリマー粒子の生成量を増やすことができる。
【００８８】
別の実施形態では、Ｗ／Ｏ型分散液が形成されるようにする上記混合は、例えば、（ＩＩ’）（ｉｉ’）有効成分および第２ポリマーの双方を含む水溶液を、（ｉ’）第１ポリマーを含む有機溶媒に徐々に添加することにより、行うことができる。この場合、（ｉｉ’）有効成分および第２ポリマーの双方を含む水溶液の添加量を、（ｉ’）第１ポリマーを含む有機溶媒の量に比し低く抑えることにより、Ｗ／Ｏ型分散液からＯ／Ｗ型分散液へと溶液の状態が変化しないように（換言すれば、Ｗ／Ｏ型分散液の状態が維持されるように）、設定することができる。この場合、ポリマー粒子が形成されることが確認されている（参考例２０を参照）。
【００８９】
添加は、好ましくは、滴下により行うことができる。添加の間、溶液は撹拌条件下に置くことができる。撹拌条件は、溶液の量に応じて適宜設定することができる。例えば、最終液量が約４５ｍＬのスケールでは、２００〜８００ｒｐｍ（好ましくは４００ｒｐｍ）、最終液量が約１Ｌのスケールでは、８０〜２３０ｒｐｍである。
【００９０】
このようにして得られたポリマー粒子を用いて、本発明の洗浄剤組成物を調製することができる。ポリマー粒子は、本発明の洗浄剤組成物の調製前に粉末化することが好ましい。粉末化する方法としては、例えば、凍結乾燥、スプレードライ、流動層造粒、攪拌造粒、超臨界造粒、自然乾燥が挙げられる。
【００９１】
（２）調製したポリマー粒子と起泡性界面活性剤との水溶液中での混合
本発明の洗浄剤組成物は、セルロース誘導体またはその塩を含むポリマー粒子を、起泡性界面活性剤と水溶液中において任意の様式で混合することにより調製することができる。例えば、本発明の洗浄剤組成物は、予め水溶液に撹拌して分散させた起泡性界面活性剤に、ポリマー粒子を加え、適温にてよく撹拌することにより調製することができる。必要に応じて、本発明の洗浄剤組成物は、ｐＨ調整剤（例、酸性物質、塩基性物質）でｐＨを中性に調整されてもよい。
【実施例】
【００９２】
次に実施例を示して本発明をさらに詳細に説明するが、本発明は以下の実施例に限定されるものではない。
【００９３】
＜製造例１＞グルタミルリジン含有ポリマー粒子の調製
先ず、下記３種の溶液を調製した。
【００９４】
（１）ポリマー液１
ポリマー液１は、エチルセルロース（ダウケミカル社製、ＳＴＤ７ＦＰ。重量平均分子量：５５，０２５）８ｇをアセトン６００ｍＬに溶解させることにより調製した。
【００９５】
（２）ポリマー液２
ポリマー液２は、ヒドロキシプロピルセルロース（日本曹達（株）製、ＳＬ。重量平均分子量：１００，０００）２ｇを水３００ｍＬに溶解させることにより調製した。
【００９６】
（３）有効成分含有液
有効成分含有液は、グルタミルリジン（味の素(株)製）２．０ｇを水３０ｍＬに溶解させることにより調製した。
【００９７】
次いで、４０℃、２５０ｒｐｍで攪拌されているポリマー液２に、有効成分含有液を滴下して均一な液体を得た。この均一な液体にポリマー液１を徐々に滴下した。ポリマー液１の適下の間、均一な液体を２５０ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、グルタミルリジン、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。
【００９８】
（４）乾燥方法
得られた粒子液は、−８０℃で瞬間的に凍結させた後、３０ｍT以下の減圧度で、水分が十分に無くなるまで乾燥させて、グルタミルリジン含有ポリマー粒子の粉末を得た。
【００９９】
＜実施例１〜４、比較例１〜３＞  洗浄剤組成物の調製および評価
あらかじめ、粉体以外の成分を室温にて均一になるよう混合した後、撹拌しながら、徐々に粉体を添加することにより、洗浄剤組成物を得た。
【０１００】
＜泡立ち効果＞
前記のように調製した組成物を、５００ｍｌのビーカーに正確に１ｇ採取し、３５℃の温水にて１００ｇまで希釈した。その後、市販のハンドミキサーにて、１０秒間泡立てた後、直後の泡量をビーカーの目盛を利用し、読み取った。一方で、粉体粒子が未添加の組成物についても、同様の方法で泡量を測定し、下記の計算式にて、泡立ちの増減率（％）を算出して、下記の基準に基づき、評価した。
【０１０１】
【数１】
2018119128.tif 000002
【０１０２】
Ａ：泡量変化率が１０％以上であり、顕著に泡量が増加した。
Ｂ：泡量変化率が３〜１０％であり、泡量が増加した。
Ｃ：泡量変化率が−３％〜３％の範囲で、ほとんど変化はなかった。
Ｄ：泡量変化率が−３％以下であり、泡量は減少した。
【０１０３】
＜官能評価試験＞
[評価方法]
専門評価パネル１０名による使用テストを行い、洗浄力実感、効果持続性実感、低皮膚刺激性について、下記基準により５段階評価し、さらにその平均点をもとめ判定した。
【０１０４】
［評価基準］
５点：非常に良好
４点：良好
３点：ふつう
２点：やや不良
１点：不良
【０１０５】
［判定基準］
Ａ：平均点４点以上
Ｂ：平均点３点以上〜４点未満
Ｃ：平均点２点以上〜３点未満
Ｄ：平均点２点未満
【０１０６】
【表１】
2018119128.tif 000003
【０１０７】
以上より、本発明の洗浄剤組成物は、泡立ちに優れることが示された。本発明の洗浄剤組成物はまた、洗浄力実感、効果持続性実感、および低皮膚刺激性について良好な結果が確認されたことから、所望の官能を備えることが示された。
【０１０８】
＜製造例２＞トラネキサム酸含有ポリマー粒子の調製
製造例１のグルタミルリジン２．０ｇをトラネキサム酸（丸善製薬製）１０ｇに変えて、かつトラネキサム酸を有効成分含有液に溶解した溶液を調製せずに、トラネキサム酸をポリマー液２に直接溶解させ、ポリマー液１とポリマー液２を用いた以外は、製造例１と同様にトラネキサム酸含有ポリマー粒子を調製した。
【０１０９】
＜実施例５、６、比較例４、５＞  口腔用洗浄剤組成物の調製および評価
あらかじめ、粉体原料（ポリマー粒子、微結晶セルロース、シリカ、界面活性剤）以外を室温にて均一になるよう混合した後、８５℃で撹拌しながら、徐々に粉体原料を添加することにより、洗浄剤組成物を得た。
【０１１０】
＜泡立ち効果＞
前記のように調製した組成物を、１５ｍｌディスポーサブル遠沈管（アズワン製、ビオラモ遠沈管）に正確に０．１ｇ採取し、３５℃の温水にて１０ｇまで希釈した。その後、ペンシルミキサー（アズワン製、７０００ｒｐｍ）にて、１０秒間泡立てた後、直後の泡量を遠沈管の目盛を利用し、読み取った。一方で、粉体成分を未添加の組成物についても、同様の方法で泡量を測定し、下記の計算式にて、泡立ちの増減率（％）を算出して、下記の基準に基づき、評価した。
【０１１１】
【数２】
2018119128.tif 000004
【０１１２】
Ａ：泡量変化率が１０％以上であり、顕著に泡量が増加した。
Ｂ：泡量変化率が３〜１０％であり、泡量が増加した。
Ｃ：泡量変化率が−３％〜３％の範囲で、ほとんど変化はなかった。
Ｄ：泡量変化率が−３％以下であり、泡量は減少した。
【０１１３】
＜官能評価試験＞
[評価方法]
専門評価パネル１０名による使用テストを行い、初期の泡立ち実感、洗浄力実感、泡量持続性実感、低口腔内刺激性について、下記基準により５段階評価し、さらにその平均点をもとめ判定した。
【０１１４】
［評価基準］
５点：非常に良好
４点：良好
３点：ふつう
２点：やや不良
１点：不良
【０１１５】
［判定基準］
Ａ：平均点４点以上
Ｂ：平均点３点以上〜４点未満
Ｃ：平均点２点以上〜３点未満
Ｄ：平均点２点未満
【０１１６】
【表２】
2018119128.tif 000005
【０１１７】
以上より、本発明の口腔内洗浄剤組成物は、泡立ちに優れることが示された。本発明の洗浄剤組成物はまた、初期の泡立ち実感、洗浄力実感、泡量持続性実感、および低口腔内刺激性について良好な結果が確認されたことから、所望の官能を備えることが示された。
【０１１８】
［参考例１］  粒子１の調製
先ず、下記３種の溶液を調製した。
（１）ポリマー液１
ポリマー液１は、エチルセルロース（ダウケミカル社製、ＳＴＤ７ＦＰ。重量平均分子量：５５，０２５）０．４ｇをアセトン３０ｍＬに溶解させることにより調製した。
（２）ポリマー液２
ポリマー液２は、ヒドロキシプロピルセルロース（日本曹達（株）製、ＳＬ。重量平均分子量：１００，０００）０．１ｇを水１５ｍＬに溶解させることにより調製した。
（３）有効成分含有液
有効成分含有液は、トラネキサム酸（丸善製薬（株）製）０．１ｇを水１．５ｍＬに溶解させることにより調製した。
【０１１９】
次に、４０℃、４００ｒｐｍで攪拌されているポリマー液２に、有効成分含有液を滴下して均一な液体を得た。この均一な液体にポリマー液１を徐々に滴下した。ポリマー液１の適下の間、均一な液体を４００ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、トラネキサム酸、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。その後、粒度分布をレーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）で評価した（下記の表３を参照）。
【０１２０】
また、得られた粒子を走査型電子顕微鏡で撮影した。走査型電子顕微鏡写真を図１に示す。
【０１２１】
［参考例２］  粒子２の調製
参考例１のトラネキサム酸量を２．０ｇに変えて、かつトラネキサム酸を有効成分含有液に溶解した溶液を調製せずに、トラネキサム酸をポリマー液２に直接溶解させ、ポリマー液１とポリマー液２を用いた以外は参考例１と同様に粒子液を調製し、粒度分布を測定した（下記の表３を参照）。
【０１２２】
［参考例３］  粒子３の調製
先ず、下記３種の溶液を調製した。
（１）ポリマー液１
ポリマー液１は、エチルセルロース（ダウケミカル社製、ＳＴＤ７ＦＰ。重量平均分子量：５５，０２５）８ｇをアセトン６００ｍＬに溶解させることにより調製した。
（２）ポリマー液２
ポリマー液２は、ヒドロキシプロピルセルロース（日本曹達（株）製、ＳＬ。重量平均分子量：１００，０００）２ｇを水３００ｍＬに溶解させることにより調製した。
（３）有効成分含有液
有効成分含有液は、トラネキサム酸（丸善製薬（株）製）２ｇを水３０ｍＬに溶解させることにより調製した。
【０１２３】
次に、４０℃、２３０ｒｐｍで攪拌されているポリマー液２に、有効成分含有液を滴下して均一な液体を得た。この均一な液体にポリマー液１を徐々に滴下した。ポリマー液１の適下の間、均一な液体を４００ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、トラネキサム酸、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。その後、粒度分布をレーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）で評価した（下記の表３を参照）。
【０１２４】
［参考例４］  粒子４の調製
参考例１のエチルセルロースをヒプロメロース酢酸エステルコハク酸エステル（信越化学工業（株）、ＡＳ−ＭＧ。重量平均分子量：１８，０００）に、ポリマー液１のアセトンをメタノールに変えた以外は参考例１と同様に粒子液を調製し、粒度分布を測定した（下記の表３を参照）。
【０１２５】
［参考例５］  粒子５の調製
参考例１のエチルセルロースをヒプロメロースフタル酸エステル（信越化学工業（株）、ＨＰ−５５。重量平均分子量：８４，０００）に変えた以外は参考例１と同様に粒子液を調製し、粒度分布を測定した（下記の表３を参照）。なお、用いたヒプロメロースフタル酸エステル（ＨＰ−５５）は、ｐＨ溶解性≧５．５、表示粘度４０ｍＰａ・ｓ〔２０℃におけるメタノール／ジクロルメタン溶液（１：１）の１０％溶液粘度（日本薬局方）〕の特性を有する。
【０１２６】
［参考例６］  粒子６の調製
参考例１のエチルセルロースをメタクリル酸コポリマーＳ（エボニック社製、Ｓ−１００。重量平均分子量：１２５，０００）に変えた以外は参考例１と同様に粒子液を調製し、粒度分布を測定した（下記の表３を参照）。
【０１２７】
［参考比較例１］  比較用粒子１の調製
参考例１の（３）有効成分含有液（トラネキサム酸０．１ｇを水１．５ｍＬに溶解させたもの）を水１．５ｍＬに変えた以外は参考例１と同様に粒子液を調製し、粒度分布を測定した（下記の表３を参照）。
【０１２８】
（参考例１〜６、および参考比較例１の結果のまとめ）
参考例１〜６、および参考比較例１において測定された粒度分布の結果を表３に示す。
【０１２９】
【表３】
2018119128.tif 000006
【０１３０】
［参考例７］  粒子７の調製
参考例１のトラネキサム酸０．１ｇを食用赤色３号（保土谷化学工業製）０．０１ｇに変更した以外は参考例１と同様にして、実験を行った。その結果、粒子の形成が確認された。
【０１３１】
［参考例８〜１１］  粒子８〜１１の調製
参考例３のトラネキサム酸を、Ｌ−アルギニン（味の素製）、Ｌ−ヒスチジン（味の素製）、グルタミルリジン（味の素製）、およびＤ−アラニン（東京化成工業製）からなる群より選ばれるいずれか一つの物質に変更した以外は参考例３と同様にして、実験を行った。その結果、いずれの物質を用いた場合も、粒子の形成が確認された。
【０１３２】
［参考例１２、１３］  粒子１２、１３の調製
参考例３のトラネキサム酸を、Ｌ−バリン（味の素製）、Ｌ−グルタミン酸ナトリウム（味の素製）のいずれかの物質に、アセトンをメタノールに変更した以外は参考例３と同様にして、実験を行った。その結果、いずれの物質を用いた場合も、粒子の形成が確認された。
【０１３３】
［参考例１４］  粒子１４の調製
参考例３のトラネキサム酸２ｇをピロリドンカルボン酸（ＰＣＡ）ナトリウム塩５０％（ｗｔ）水溶液（味の素製、ＮＬ−５０）４ｇに変更した以外は参考例３と同様にして、実験を行った。その結果、粒子の形成が確認された。
【０１３４】
［参考例１５］  ヒドロキシプロピルセルロースのグレードの検討
参考例７のヒドロキシプロピルセルロース（ＨＰＣ）のグレードを下記表４に示すとおりに変更した以外は、参考例７と同様にして、実験を行った。その結果、粒子の形成が確認された（表４）。
【０１３５】
【表４】
2018119128.tif 000007
【０１３６】
［参考例１６］  エチルセルロースのグレードの検討
参考例７のエチルセルロース（ＥＣ）のグレードを下記表５に示すとおりに変更した以外は、参考例７と同様にして、実験を行った。その結果、粒子の形成が確認された（表５）。
【０１３７】
【表５】
2018119128.tif 000008
【０１３８】
［参考例１７］  ヒプロメロース酢酸エステルコハク酸エステルのグレードの検討
参考例４のヒプロメロース酢酸エステルコハク酸エステル（信越化学工業（株）、ＡＳ−ＭＧ）のグレードを下記表６に示すとおりに変更した以外は、参考例４と同様にして、実験を行った。その結果、粒子の形成が確認された。
【０１３９】
【表６】
2018119128.tif 000009
【０１４０】
［参考例１８］  メタクリル酸コポリマーのグレードの検討
参考例６のメタクリル酸コポリマーＳ（エボニック社製、Ｓ−１００）をメタクリル酸コポリマーＬ（エボニック社製、Ｌ１００。重量平均分子量：１２５，０００）に変更した以外は、参考例６と同様にして、実験を行った。その結果、メタクリル酸コポリマーＬ（Ｌ１００）では平均粒子径７４７ｎｍの粒子の形成が確認された。
【０１４１】
［参考例１９］  １種のポリマーを用いた粒子の調製の検討
（１）疎水性ポリマーを含まない有機溶媒の使用
参考例１のトラネキサム酸０．１ｇを食用赤色３号（保土谷化学工業製）０．０１ｇにし、エチルセルロースを使用しなかった他は、参考例１と同様にして、実験を行った。その結果、粒子の形成は確認されなかった。
以上より、疎水性ポリマーを含まない有機溶媒（ポリマー液１の代わりの非ポリマー液）、および親水性ポリマーを含む水溶液（ポリマー液２）を用いた場合には、粒子が形成されないことが確認された。
（２）親水性ポリマーを含まない水溶液の使用
参考例１のトラネキサム酸０．１ｇを食用赤色３号（保土谷化学工業製）０．０１ｇにし、ヒドロキシプロピルセルロースを使用しなかった他は、参考例１同様にして、実験を行った。その結果、粒子の形成が確認された（動的光散乱測定結果：平均粒子径２１７ｎｍ）。
以上より、疎水性ポリマーを含む有機溶媒（ポリマー液１）、および親水性ポリマーを含まない水溶液（ポリマー液２の代わりの非ポリマー液）を用いた場合には、粒子が形成されることが確認された。
【０１４２】
［参考例２０］  Ｏ／Ｗ型分散液からＷ／Ｏ型分散液への状態の変化を伴わない、粒子の調製
参考例１のトラネキサム酸０．１ｇを食用赤色３号（保土谷化学工業製）０．０１ｇに、ポリマー液２および有効成分含有液の混合液をポリマー液１に滴下することに変更した以外は参考例１と同様にして、実験を行った。本実験条件では、多量の有機溶媒に少量の水溶液を添加しているので、参考例１で確認された、Ｏ／Ｗ型分散液からＷ／Ｏ型分散液への状態の変化を伴わない。その結果、上記状態の変化を伴わずとも、粒子の形成が確認された。
【０１４３】
［参考例２１、２２、２３］  粒子１５、１６、１７の調製
参考例１のトラネキサム酸に代えて、４−ヒドロキシ安息香酸メチル（メチルパラベン、純正化学製）、ミノキシジル（東京化成製）、またはジヒドロキシカプシエイト（味の素製）のいずれかの有効成分を、有効成分含有液の調製をせずにポリマー液１に溶解した以外は、実施例１と同様にして、実験を行った。その結果、いずれの物質を用いた場合も、粒子の形成が確認された。また、有効成分を水溶液ではなく有機溶媒（ポリマー液１）に溶解させることにより、有効成分を含有する粒子が得られることが確認された。
【０１４４】
［参考試験例１］  粒子の性状の確認
参考例３で得られた粒子液を自然乾燥させて走査型電子顕微鏡で観察した外観より、参考例３で得られた粒子の表面が硬質であり、また、当該粒子が真球状であることが確認された（図２）。
【０１４５】
また、参考例３で得られた粒子液５０μＬをポリスチレン基板上に滴下し、２４時間室温（２５℃）にて自然乾燥させて調製された、ポリスチレン基板上に形成された粒子膜に、２０μＬの水滴を滴下して側面から画像を撮影した。その画像から画像処理ソフトウエアｉｍａｇｅ  Ｊを用いて接触角を計測したところ、上記粒子膜上の水の接触角（内角）は４３．９度であった。一方、ポリスチレン基板に２０μＬの水滴を滴下して同様に接触角を計測したところ、ポリスチレン基板上の水の接触角（内角）は７８．４度であった。上記粒子膜上の水の接触角は、ポリスチレン基板上の水の接触角に比べて小さい値を示したことから、参考例３で得られた粒子の表面は親水性的な性質を有することが確認された。
【０１４６】
さらに、参考例３で調製した調製した粒子を、１ｍＭ  ＮａＣｌ水溶液中の電気泳動移動度の測定（Ｍａｌｖｅｒｎ  Ｉｎｓｔｒｕｍｅｎｔｓ  Ｌｔｄ．製、ＺｅｔａｓｉｚｅｒＮａｎｏＳ）に付した。その結果、電気泳動による移動度は、−４．１±０．１２μｍｃｍ／Ｖｓであった。０μｍｃｍ／Ｖｓからの絶対値が大きいことから、粒子は親水性ゲル粒子ではないことが確認された。
【０１４７】
以上の結果より、参考例３で調製した粒子は、表面がポリスチレン粒子のような硬質さと、ポリアクリルアミドやポリＮ，Ｎイソプロピルアクリルアミド粒子のような軟質のゲル様の両方の性質を有することが確認された。また、一旦形成された粒子を、油、有機溶媒または水に分散させても瞬時に溶解して壊れることが無いことも確認された。
【０１４８】
［参考試験例２］  粒子の保存性および凝集性の評価
（１）非凍結条件下での保存性の評価
参考例１〜２０で調製した粒子液は、冷蔵（４℃）にて１．５年保存後も凝集することなく粒子状態を維持していた。よって、本発明の粒子は、保存性に優れることが確認された。
（２）凍結乾燥後の粒子分散能の評価
参考例３で調製した粒子液を攪拌減圧吸引によって、水を１０分の１に減らし、凍結乾燥して粉体を得た。この粉体を再度固形分濃度３％（ｗｔ）になるように水に分散させたところ元通りの粒子液になることを確認した。
（３）スプレードライ後の粒子分散能の評価
参考例３で調製した粒子液を攪拌減圧吸引によって、水を１０分の１に減らし、スプレードライ（日本ビュッヒ製Ｂ−２９０）して粉体を得た。この粉体を再度固形分濃度３％（ｗｔ）になるように水に分散させたところ元通りの粒子液になることを確認した。
【０１４９】
［参考試験例３］  表皮モデル透過性評価３
上述したように得られた粒子１５、１６、１７について、参考試験例１、２、参考比較試験例１、２と同様の方法において、表皮モデル透過性の評価を行った。その結果、有効成分を含有するこれらの粒子は、表皮モデルにおいて、有効成分の単純溶液よりも透過性が高いことが確認された。
【０１５０】
［参考比較例２〜１９］  比較用粒子２〜１９の調製
参考例７のポリマー液１のエチルセルロース０．４ｇをポリ乳酸グリコール酸ブロック共重合体（ＰＬＧＡ５０１５、和光純薬製）、セタノール（ＮＡＡ−４４、日油製）、白色ワセリン（小城製薬製）、カスターワックス（日油製）、ステアリルアルコール（ＮＡＡ−４５、日油製）、ステアリン酸（ＮＡＡ−１８０Ｐ−１、日油製）、プロピレングリコールカプリル酸エステル（ＳＥＦＳＯＬ−２１８、日光ケミカルズ製）、プロピレングリコールジカプリル酸エステル（ＳＥＦＳＯＬ−２２８、日光ケミカルズ製）、親油型モノオレイン酸グリセリン（ＭＧＯ、日光ケミカルズ製）、親油型モノステアリン酸グリセリン（ＭＧＳ−ＡＭＶ、日光ケミカルズ製）、親油型モノステアリン酸グリセリン（ＭＧＳ−ＢＭＶ、日光ケミカルズ製）、ジステアリン酸ポリエチレングリコール（ＣＤＳ−６０００Ｐ、日光ケミカルズ製）、ショ糖脂肪酸エステル（Ｌ−５９５、三菱化学フーズ製）、ショ糖脂肪酸エステル（Ｓ−５７０、三菱化学フーズ製）、ショ糖脂肪酸エステル（Ｓ−７７０、三菱化学フーズ製）、ステアリン酸ポリオキシル４０（ＮＩＫＫＯＬ  ＭＹＳ−４０ＭＶ、日光ケミカルズ製）、セトマクロゴール１０００（ＮＩＫＫＯＬ  ＢＣ−２３、日光ケミカルズ製）、ポリオキシエチレン（１６０）ポリオキシプロピレン（３０）グリコール（プロノン＃１８８、日油製）、ポビドン（Ｋ−３０、ＢＡＳＦ製）、コポリビドン  （ＶＡ６４、ＢＡＳＦ製）、飽和ポリグリコール化グリセリド（Ｇｅｌｕｃｉｒｅ５０／１３、Ｇａｔｔｅｆｏｓｓｅ製）、ＰＥＧ２００００（和光純薬工業製）、ポリビニルアルコール（ＪＭＰ−１０Ｌ、日本酢ビ・ポバール製）、ポリビニルアルコール（ＬＬ−８１０、日本酢ビ・ポバール製）、ポリビニルアルコール（ＬＬ−９２０、日本酢ビ・ポバール製）、ポリビニルアルコール（ＬＬ−９４０、日本酢ビ・ポバール製）０．１ｇに、アセトン３０ｍＬを１５ｍＬに、ポリマー液２のヒドロキシプロピルセルロース０．１ｇをポリビニルアルコール（ＥＧ−０５、日本合成化学工業製）０．６ｇに、水１５ｍＬを３０ｍＬに変更し、ポリソルベート８０を０．１３ｇ加えた以外は、参考例７と同様に、実験を行った（表７、８）。その結果、いずれの物質を用いた場合も、粒子の形成が確認された。しかしながら、３次元培養表皮モデルを用いた透過性の評価にて、２４時間以内に透過性を示さなかった。
【０１５１】
［参考比較例２０〜２７］  比較用粒子２０〜２７の調製
参考比較例２のポリマー液１のアセトンに代えて、水を用いた以外は、参考比較例２と同様に、実験を行った（表９）。その結果、いずれの物質を用いた場合も、粒子の形成が確認された。しかしながら、３次元培養表皮モデルを用いた透過性の評価にて、２４時間以内に透過性を示さなかった。
【０１５２】
［参考比較例２８、２９］  比較用粒子２８、２９の調製
参考比較例２のポリマー液２のポリビニルアルコールに代えて、ポビドン（Ｋ−９０、ＢＡＳＦ製）、ＰＥＧ６０００（和光純薬工業製）のいずれかの成分を用いた以外は、参考比較例２と同様に、実験を行った（表９）。その結果、いずれの物質を用いた場合も、粒子の形成が確認された。しかしながら、３次元培養表皮モデルを用いた透過性の評価にて、２４時間以内に透過性を示さなかった。
【０１５３】
【表７】
2018119128.tif 000010
【０１５４】
【表８】
2018119128.tif 000011
【０１５５】
【表９】
2018119128.tif 000012
【産業上の利用可能性】
【０１５６】
本発明の洗浄剤組成物は、例えば、皮膚および口腔内の洗浄剤として有用である。
【図１】
2018119128.tif 000013
【図２】
2018119128.tif 000014
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
下記成分（Ａ）、（Ｂ）及び（Ｃ）を含む、洗浄剤組成物：
（Ａ）親水性ポリマーおよび疎水性ポリマーを含む２種以上のポリマーの混合物を含み、
親水性ポリマーまたは疎水性ポリマーの少なくとも一方として、セルロース誘導体またはその塩を含むポリマー粒子；
（Ｂ）起泡性界面活性剤；ならびに
（Ｃ）水溶液。
【請求項２】
前記ポリマー粒子が１〜１０００ｎｍの平均粒子径を有する、請求項１記載の洗浄剤組成物。
【請求項３】
前記ポリマー粒子が、以下（ｉ）〜（ｉｉｉ）からなる群より選ばれる１以上の性質を有する、請求項１または２記載の洗浄剤組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
【請求項４】
前記セルロース誘導体が、ヒドロキシアルキルセルロース、ヒドロキシセルロース、カルボキシアルキルセルロース、カルボキシセルロース、アルキルセルロース、ヒドロキシアルキルアルキルセルロース、カチオン化セルロース、疎水化セルロース、またはそれらのエステル誘導体である、請求項１〜３のいずれか一項記載の洗浄剤組成物。
【請求項５】
前記セルロース誘導体が、ヒドロキシプロピルセルロース、エチルセルロース、ヒプロメロース、またはそれらのエステル誘導体である、請求項１〜４のいずれか一項記載の洗浄剤組成物。
【請求項６】
前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、請求項４または５記載の洗浄剤組成物。
【請求項７】
前記ポリマー粒子が界面活性剤を実質的に含まない、請求項１〜６のいずれか一項記載の洗浄剤組成物。
【請求項８】
前記ポリマー粒子が洗浄成分以外の有効成分をさらに含む、請求項１〜７のいずれか一項記載の洗浄剤組成物。
【請求項９】
前記有効成分が保湿剤または香料である、請求項８記載の洗浄剤組成物。
【請求項１０】
前記起泡性界面活性剤が、Ｎ−アシル酸性アミノ酸、Ｎ−アシル中性アミノ酸、ポリオキシエチレンアルキルエーテル硫酸、アルキル硫酸、およびアミドベタイン型両性界面活性剤、ならびにそれらの塩からなる群より選択される少なくとも一種の起泡性界面活性剤である、請求項１〜９のいずれか一項記載の洗浄剤組成物。
【請求項１１】
下記成分（Ａ）、（Ｂ）および（Ｃ）：
（Ａ）ヒドロキシアルキルセルロース、ヒドロキシセルロース、カルボキシアルキルセルロース、カルボキシセルロース、カチオン化セルロース、およびそれらのエステル誘導体からなる群より選ばれるセルロース誘導体またはその塩を含むポリマー粒子；
（Ｂ）起泡性界面活性剤；ならびに
（Ｃ）水溶液を含み、
前記ポリマー粒子が１〜１０００ｎｍの体積分布平均粒子径を有する、洗浄剤組成物。
【請求項１２】
ポリマー粒子が、疎水性ポリマーをさらに含む、請求項１１記載の洗浄剤組成物。
【請求項１３】
ポリマー粒子が、アルキルセルロース、ヒドロキシアルキルアルキルセルロース、疎水化セルロース、およびそれらのエステル誘導体からなる群より選ばれるセルロース誘導体またはその塩をさらに含む、請求項１１または１２記載の洗浄剤組成物。
【請求項１４】
ヒドロキシアルキルセルロース、カルボキシアルキルセルロース、アルキルセルロース、およびヒドロキシアルキルアルキルセルロースにおけるアルキルが、炭素原子数１〜４のアルキルである、請求項１０〜１２のいずれか一項記載の洗浄剤組成物。
【請求項１５】
前記洗浄剤組成物が皮膚の洗浄剤である、請求項１〜１４のいずれか一項記載の洗浄剤組成物。
【請求項１６】
前記洗浄剤組成物が口腔内の洗浄剤である、請求項１〜１４のいずれか一項記載の洗浄剤組成物。